(57)【要約】【課題】被固定物を固定する作業効率を向上させる。【解決手段】Ｕボルト１０は、湾曲部１２と、湾曲部１２から延伸する一端に形成した雄ねじ部１４と、湾曲部１２から延伸する他端を鉤状に形成した鉤部１６と、を含み、配管２０を支持体３０と湾曲部１２との間に配置して、支持体３０に設けられた対の孔のうち一方に鉤部１６を挿通させると共に、対の孔のうち他方に雄ねじ部１４を挿通させて雄ねじ部１４と螺合するナット４０により締め付けて配管２０を支持体３０に固定する。【選択図】図１
2010190331.tif 000002
【特許請求の範囲】
【請求項１】
湾曲部と、
前記湾曲部から延伸する一端に形成した雄ねじ部と、
前記湾曲部から延伸する他端を鉤状に形成した鉤部と、を含み、
被固定体を支持体と前記湾曲部との間に配置して、前記支持体に設けられた対の孔のうち一方に前記鉤部を挿通させると共に、前記対の孔のうち他方に前記雄ねじ部を挿通させて前記雄ねじ部と螺合する雌ねじ体により締め付けて前記被固定体を前記支持体に固定することを特徴とする固定具。
【請求項２】
前記鉤部と前記雄ねじ部は、前記湾曲部に対して略対称の位置に設けられる
ことを特徴とする請求項１に記載の固定具。
【請求項３】
前記鉤部は、前記他端の一部を前記雄ねじ部に対して反対側に折曲して形成される
ことを特徴とする請求項２に記載の固定具。
【請求項４】
前記湾曲部、前記雄ねじ部、及び前記鉤部の各々の断面の中心を略同一平面上に設けた
ことを特徴とする請求項１乃至３に記載の固定具。
【請求項５】
前記鉤部に前記支持体と当接する面を形成した
ことを特徴とする請求項１乃至４のいずれかに記載の固定具。
【発明の詳細な説明】
【技術分野】
【０００１】
本発明は、固定具に関する。
【背景技術】
【０００２】
配管等の円筒形の物を固定するために、Ｕボルトが用いられることがある。Ｕボルトは、例えば下記の特許文献１に記載されているように、両端に雄ねじが形成されており、Ｕ字に湾曲した部分に配管を配置した状態で支持体に設けられたボルト孔に雄ねじを挿通し、雄ねじをナットで締め付けることで支持体に配管を固定している。
【先行技術文献】
【特許文献】
【０００３】
【特許文献１】特開平１０−２１３１１８号公報
【発明の概要】
【発明が解決しようとする課題】
【０００４】
しかしながら、従来のＵボルトでは両端に螺合するナットをそれぞれ均等に締め付ける必要があり、こうした微妙な調整を要する作業には電動工具を利用できなかった。そのため、電動の工具が使用できる他のボルト締めと比較して作業効率が悪かった。
【０００５】
本発明は上記課題に鑑みてなされたものであって、本発明の目的の一つは、被固定物を固定する作業効率を向上させることができる固定具を提供することにある。
【課題を解決するための手段】
【０００６】
上記目的を達成するために、本発明に係る固定具は、湾曲部と、前記湾曲部から延伸する一端に形成した雄ねじ部と、前記湾曲部から延伸する他端を鉤状に形成した鉤部と、を含み、被固定体を支持体と前記湾曲部との間に配置して、前記支持体に設けられた対の孔のうち一方に前記鉤部を挿通させると共に、前記対の孔のうち他方に前記雄ねじ部を挿通させて前記雄ねじ部と螺合する雌ねじ体により締め付けて前記被固定体を前記支持体に固定することを特徴とする。
【０００７】
また、本発明の一態様では、前記鉤部と前記雄ねじ部は、前記湾曲部に対して略対称の位置に設けられることを特徴とする。
【０００８】
また、本発明の一態様では、前記鉤部は、前記他端の一部を前記雄ねじ部に対して反対側に折曲して形成されることを特徴とする。
【０００９】
また、本発明の一態様では、前記湾曲部、前記雄ねじ部、及び前記鉤部の各々の断面の中心を略同一平面上に設けたことを特徴とする。
【００１０】
また、本発明の一態様では、前記鉤部に前記支持体と当接する面を形成したことを特徴とする。
【発明の効果】
【００１１】
本発明の一態様によれば、締め付け作業が１カ所で済み、さらに均等に締め付ける必要性がなく電動工具が使用できるため、被固定物を支持体に固定する作業の効率を向上させることができる。
【００１２】
本発明の一態様によれば、湾曲部の略中心で湾曲部と被固定物とを当接させることができる。
【００１３】
本発明の一態様によれば、鉤部を先に挿通しておいてからでも被固定体を固定できる。
【００１４】
本発明の一態様によれば、支持体の面に対して主に垂直方向の抗力が発生するようになる。
【００１５】
本発明の一態様によれば、鉤部と支持体の当接する面にかかる圧力を分散させることができる。
【図面の簡単な説明】
【００１６】
【図１】Ｕボルトの正面図である。
【図２Ａ】Ｕボルトの左側面図である。
【図２Ｂ】Ｕボルトの右側面図である。
【図３Ａ】Ｕボルトの上平面図である。
【図３Ｂ】Ｕボルトの底面図である。
【図４Ａ】配管の固定作業を説明するＵボルトの正面図である。
【図４Ｂ】配管の固定作業を説明するＵボルトの正面図である。
【図４Ｃ】配管の固定作業を説明するＵボルトの正面図である。
【発明を実施するための形態】
【００１７】
以下、本発明を実施するための好適な実施の形態（以下、実施形態という）を、図面に従って説明する。
【００１８】
図１には、本実施形態に係るＵボルト（固定具）１０の正面図を示した。図１においては、配管２０がＵボルト１０により支持体３０に固定された状態を示している。図１に示されるように、Ｕボルト１０は湾曲部１２と雄ねじ部１４と鉤部１６とを含み構成されるものであり、各部は金属により一体形成されることとしてよい。
【００１９】
湾曲部１２は、金属を予め定められた曲率により湾曲させて構成される部分であり、曲率は固定する配管２０の曲率に基づいて定めることとしてよい。本実施形態では、湾曲部１２の曲率は、固定する配管２０の曲率よりも若干小さくしたもの、すなわち湾曲部１２の径を配管２０の径よりも若干大きくしたものを用いることとしてよい。
【００２０】
雄ねじ部１４は、湾曲部１２から延伸する腕部分の一端に形成された雄ねじを含む部分であり、雄ねじ部１４の径に応じたナット４０（雌ねじ体）と螺合するものである。
【００２１】
鉤部１６は、湾曲部１２から延伸する腕の他の一端を鉤状に形成した部分であり、鉤部１６はＵボルト１０の端部を雄ねじ部１４と反対の方向に折曲して形成されるものである。本実施形態では、鉤部１６は、Ｕボルト１０の端部の一部を鋭角に折曲することで形成することとしてよい。
【００２２】
支持体３０には、対のボルト孔が設けられており、配管２０をこの対のボルト孔の間に配置した状態で、一方のボルト孔に鉤部１６を挿通し、さらに他方のボルト孔に雄ねじ部１４を挿通してから雄ねじ部１４にワッシャ４２を介してナット４０で締め付けて配管２０を固定する。
【００２３】
図２ＡにはＵボルト１０の左側面図を、図２ＢにはＵボルト１０の右側面図を示す。図２Ａ及び図２Ｂに示されるように、湾曲部１２、雄ねじ部１４、鉤部１６はそれぞれの断面の中心位置が同一平面上に設けられている。こうすることで、配管２０を固定する際に支持体３０に対して垂直の抗力のみを発生させることができるため固定された配管２０がずれにくくなる。
【００２４】
図３ＡにはＵボルト１０の上平面図を、図３ＢにはＵボルト１０の底面図を示す。図３Ａ及び図３Ｂに示されるように、Ｕボルト１０は配管２０の延伸方向に対して垂直に配置されて配管２０を支持するものである。なお、支持体３０に設けられたＵボルト１０の取付孔（ボルト孔）の間隔は、配管２０を固定するＵボルト１０の湾曲部１２の径に基づいて決定することとしてよい。そして、鉤部１６の支持体３０と当接する箇所には面取り加工を施すこととし、このように鉤部１６に支持体３０との当接面を形成することにより、鉤部１６の角が支持体３０と当接する場合に比べて圧力の分散が図れると共に、Ｕボルト１０の位置ずれを防止することができる。
【００２５】
次に、図４Ａ乃至図４Ｃに示されたＵボルト１０の正面図を参照しながら、本実施形態に係るＵボルト１０により配管２０を支持体３０に固定する作業の流れを説明する。
【００２６】
まず、図４Ａに示されるように、支持体３０に形成されたボルト孔の一方に鉤部１６を挿通して、Ｕボルト１０を支持体３０に引っかけておく。
【００２７】
次に、図４Ｂに示されるように、配管２０を移動させて配管２０を固定位置に配置する。配管２０は、図４Ｂにおける左側から（Ｕボルト１０が取り付けられていないボルト孔側から）固定位置に移動させてもよいし、図面に対して垂直方向から固定位置に移動させてもよい。
【００２８】
そして、鉤部１６の折曲部分をボルト孔に合わせ、この折曲部分を支点位置にしてＵボルト１０を図示される方向に回転させて、雄ねじ部１４を他方のボルト孔に挿通する。この後、図４Ｃに示されるように、ボルト孔に挿通された雄ねじ部１４に支持体３０の配管２０が固定される反対側から雄ねじ部１４をワッシャ４２を介してナット４０により締め付けることで、配管２０が支持体３０に固定される。
【００２９】
図４Ａ乃至４Ｃに示した例では、Ｕボルト１０が１つしか示されていないが、配管２０を固定するＵボルト１０が複数ある場合にもＵボルト１０の引っかけ（複数）、配管２０の配置、Ｕボルト１０の固定（複数）という作業で配管２０の固定作業を行うことができる。
【００３０】
また、従来のＵボルト１０と同様に、配管２０を支持体３０に配置してからＵボルト１０をボルト孔に挿通して固定するという流れでも配管２０の固定作業が可能であることはもちろんである。
【００３１】
以上説明した本実施形態に係るＵボルト１０によれば、Ｕボルト１０の一端を鉤状に成型した鉤部１６を設けたことにより、Ｕボルト１０の締め付け作業をＵボルト１０に対して１カ所に低減させると共に、締め付け時に各ナット４０による締め付けを均等にするように配慮する必要がなく電動工具を使用して一気に締め付けることができ、配管２０の固定作業の効率を著しく向上させることができる。
【００３２】
なお、本発明は上記の実施形態に限定されるものではない。例えば、鉤部１６の形状は上述した形状に限るものではないし、Ｕボルト１０による固定対象は配管２０に限らず他の円柱形の物としてもよい。その他にも、本発明はこの分野の通常の知識を有する当業者によって多様な変更、変形又は置換が可能であることはもちろんである。
【符号の説明】
【００３３】
１０  Ｕボルト、１２  湾曲部、１４  雄ねじ部、１６  鉤部、２０  配管、３０  支持体、４０  ナット、４２  ワッシャ。
【図１】
2010190331.tif 000003
【図２Ａ】
2010190331.tif 000004
【図２Ｂ】
2010190331.tif 000005
【図３Ａ】
2010190331.tif 000006
【図３Ｂ】
2010190331.tif 000007
【図４Ａ】
2010190331.tif 000008
【図４Ｂ】
2010190331.tif 000009
【図４Ｃ】
2010190331.tif 000010